(57)【要約】【課題】  床材の寸法変更に対応して容易に寸法を調整できる架台構造を提供する。【解決手段】床材設置用架台１は、固定枠部２と、この固定枠部２に対し外側方へ進退可能に取り付けた可動腕部２とから構成され、固定枠部２の下面側には支持脚４が取り付けられ、可動腕部３の先端部には高さ調節部材５が取着される。架台１上に設けた床材１０の一部１０Ｘを現場で切除する場合、切除によって寸法が短縮した分だけ可動腕部３を後退させて、可動腕部３が床材１０の側方から突出しないようにする。可動腕部３による床材１０の支持状態が適切になり、現場への搬入も確実になる。複数の可動腕部３の進退位置を、それぞれ個別に設定できるように構成し、切除幅が一定でないときにも、最適な進退位置に各可動腕部３を固定可能である。【選択図】      図２
2006144413.tif 000002
【特許請求の範囲】
【請求項１】
床材の下面を支持する架台であって、固定枠部と、該固定枠部に基端部が保持され該固定枠部の外側方へ進退可能に設けられた可動腕部とを備えていることを特徴とする床材設置用架台。
【請求項２】
前記可動腕部の先端側に、施工面に接地する支持脚を設けた請求項１に記載する床材設置用架台。
【請求項３】
前記可動腕部が複数設けられ、各可動腕部は個別に進退可能である請求項１又は２に記載する床材設置用架台。
【請求項４】
特定の方向に進退可能な可動腕部と、これとは交差する方向に進退可能な可動腕部とを有している請求項１乃至３のいずれかに記載する床材設置用架台。
【請求項５】
複数の固定枠部と、固定枠部どうしを連結する連結部材とを有し、当該連結部材は少なくとも一方の固定枠部に対し移動可能である請求項１乃至４のいずれかに記載する床材設置用架台。
【請求項６】
請求項１乃至５のいずれかに記載する架台の上に床材が設けられていることを特徴とする架台付き床材。
【発明の詳細な説明】
【技術分野】
【０００１】
本発明は、例えば防水パン等の床材、及びこの床材を施工面上に支持する架台に関し、床材の寸法変更や形状変更を行ったときに、これに合わせて架台の支持範囲を容易に調整できる手段を提供することを目的とする。
【背景技術】
【０００２】
特許文献１に、浴室等の床を施工するにあたり、現場寸法に合わせて床材を切断したときに、切断後の床材の寸法に合わせて、架台の寸法も調整できるようにした技術が記載されている。すなわち同文献１には、支持材と連結材とを縦横に組み合わせて固定することにより構築される架台において、支持材を、支持基材と支持調整材とを互いに摺動可能に係合させて伸縮できるように構成すると共に、連結材を、連結基材と連結調整材とを互いに摺動可能に係合させて伸縮できるように構成することにより、架台の平面寸法を、床材の寸法に合わせて調整できるようにしたことが記載されている。
【特許文献１】特開２００４−１５４２５１公報
【発明の開示】
【発明が解決しようとする課題】
【０００３】
特許文献１に記載された従来の架台は、支持材及び連結材それぞれを伸縮可能としたため、部品点数が多くなり、しかも、寸法調整を行う際に非常に多数の箇所で調整作業を行う必要があるため、施工能率がすこぶる悪いという欠点がある。さらに特許文献１の技術では、床材の隅部を直角に切除した場合の形状変更に対処するのが困難である。
【課題を解決するための手段】
【０００４】
本発明は、前記従来の問題点に鑑み、床材を設置するための架台と、この架台を一体に設けた床材とを提供するものである。本発明に係る床材設置用架台の特徴とすることは、請求項１に記載する如く、床材の下面を支持する架台であって、固定枠部と、該固定枠部に基端部が保持され該固定枠部の外側方へ進退可能に設けられた可動腕部とを備えていることである。
【０００５】
前記床材設置用架台において、請求項２に記載の如く、前記可動腕部の先端側に、施工面に接地する支持脚を設けてもよい。当該支持脚は、所望により、高さ調節を可能にしてもよい。
【０００６】
本発明に係る床材設置用架台は、請求項３に記載の如く、前記可動腕部を複数設けた場合、各可動腕部を個別に進退可能とすることができる。
【０００７】
本発明に係る床材設置用架台は、請求項４に記載の如く、特定の方向に進退可能な可動腕部と、これとは交差する方向に進退可能な可動腕部とを有するものとしてもよい。ここで交差する方向とは、直交する方向のみならず、傾斜する方向を含むものとする。
【０００８】
さらに本発明に係る床材設置用架台は、請求項５に記載の如く、複数の固定枠部と、固定枠部どうしを連結する連結部材とを有し、当該連結部材は少なくとも一方の固定枠部に対し移動可能とする構成を採用することが可能である。
【０００９】
ところで本発明は、前述の架台を一体に設けた床材を提供する。すなわち、請求項１乃至５に記載するいずれかの架台の上に、床材を設けたことを特徴とする架台付き床材を提供する。なお、前記において、床材の主要床面部の下面に前記架台の固定枠部を固定し、前記主要床面部の周囲に設けられた側方床面部の下面が、前記固定枠部に進退可能に設けられた可動腕部に支持されるように構成することが望ましい。前記床材の材質としては、ＦＲＰ製の床パンが代表的であるが、金属製・合成樹脂製の場合も考えられる。
【発明の効果】
【００１０】
請求項１に記載の床材設置用架台によれば、固定枠部の外側方へ進退可能な可動腕部を備えるので、床材寸法に合わせて可動腕部を前進又は後退させることにより、適切な支持状態を構築できる。例えば、現場寸法に合わせて床材の一部を切除したときには、これに合わせて可動腕部を後退させることにより、施工現場へ確実に搬入でき且つ床材を過不足なく支持する架台を提供することが可能となる。
【００１１】
請求項２に記載の床材設置用架台によれば、可動腕部の先端側に施工面に接地する支持脚を設けたので、可動腕部がより大きい荷重を支持することが可能となる。また、耐荷重強度が大きいから、可動腕部の長さを長くすることができる。
【００１２】
請求項３に記載の床材設置用架台によれば、複数設けた可動腕部を個別に進退可能としたので、一部だけを切除したときなど床材の形状が複雑な場合でも、それに合わせて可動腕部の進退量を調整することにより、適切な支持状態を容易に構築できる。
【００１３】
請求項４に記載の床材設置用架台及び請求項１０に記載の架台付き床材によれば、交差する二方向に進退可能な可動腕部を有しているので、床材の平面寸法の拡縮に容易に対応できる。また、床材における隅部の支持が確実になるうえ、隅部の一部を切除した場合でも残存部の支持を確実に行える。
【００１４】
請求項５に記載の床材設置用架台によれば、複数の固定枠部どうしを連結部材で連結すると共に、少なくとも一方の固定枠部を移動可能にしたので、寸法調整が容易で且つ耐荷重強度の大きい支持構造が得られる。
【００１５】
請求項６に記載の架台付き床材は、浴室等の施工現場の形状に合わせて変形可能な架台を有しており、一部切除等の調整作業を施した部分を、可動腕部で支えることができるため、堅固な構造の床を構築することができる。
【発明を実施するための最良の形態】
【００１６】
［第１の実施形態］
図１に本発明に係る床材設置用架台１の一例、図２に同架台１を一体に設けた床材１０の一例を示す。本発明に係る架台１は、金属製角パイプあるいはプラスチック製棒材等を縦横に適宜組み合わせて製作した固定枠部２と、この固定枠部２に対し外側方へ進退可能に取り付けた可動腕部２とから構成される。固定枠部２の下面側には高さ調節可能な支持脚４が取り付けられ、施工面Ｆ上に支持される。
【００１７】
本例の可動腕部３は、図１（Ｃ）に示すように、固定枠部２の下面に装着した保持スリーブ６内へ摺動可能に挿入され、固定ビス６ａで基端部側を締め付けることによって、当該可動腕部３を所望の進退位置に保持するようなされている。従って、本例の可動腕部３は、固定枠部２に片持ち状態で支持される構造となっている。また当該可動腕部３の先端部には、固定枠部２の上面と高さレベルが実質的に等しく設定された高さ調節部材５が取着される。なお、保持スリーブ６の固定枠部２に対する取り付け強度を高めるため、固定枠部２に補助フレーム２ａを設け、保持スリーブ６の取付箇所を増加させてもよい。
【００１８】
図２に示す如く、前記架台１上に床材１０を設けることにより、本発明に係る架台付き床材が構築される。床材１０は、ＦＲＰ製の床パンのほか、金属製・合成樹脂製も考えられる。床材１０の主要床面部１０ａの下面に、架台１の固定枠部２が一体に取着され、主要床面部１０ａの側部に設けられる側方床面部１０ｂの下面が、可動腕部３によって、高さ調節部材５を介し、支持される。
【００１９】
ところで床の施工環境によっては、図２（Ｃ）に示すように、床材１０における側方床面部１０ｂの一部１０Ｘを現場で切除することが必要となる場合がある。本例では、切除によって寸法が短縮した分だけ、可動腕部３を後退させて、架台１の長さ寸法を床材１０の長さ寸法以下にすることにより、可動腕部３が床材１０の側方から突出しないようにできる。従って、床材１０における切除側部分が、高さ調節部材５を介し可動腕部３によって支持される状態が適切になるだけでなく、施工現場が予定よりも狭いときでも架台１の搬入が確実にできる。なお必要に応じ、床材１０の切断側端縁に沿って、一定高さを有する堤防部材１１を、床材１０上に配設してもよい。
【００２０】
さらに本例では、３個設けた可動腕部３の進退位置を、それぞれ個別に設定できるように構成した。それ故、図２（Ｃ）に例示するように、切除部分１０Ｘの切除幅が一定でないときにも、異なる切除寸法に応じた最適な進退位置に、各可動腕部３を固定することが可能である。
【００２１】
［第２の実施形態］
図３は、床材設置用架台１において、可動腕部３の先端部に高さ調節可能な支持脚７を設けた実施形態、図４は、この架台１を一体に設けた床材１０の実施形態を示すものである。その他の構成は、前記第１の実施形態と共通である。
【００２２】
本例では、固定枠部２における可動腕部３を設けた側縁部の下方において、保持スリーブ６の下面を支持する支持脚４を設け、可動腕部３が、この支持脚４と先端部に設けた支持脚７とによって支持される構成とした。かかる構成により、可動腕部３の耐荷重強度が増大するから、可動腕部３の長さ寸法を長く設定することができる。その結果、床材１０の寸法調整範囲を大きく設定することが可能となる。
【００２３】
［第３の実施形態］
図５に示す床材設置用架台１は、直交する二方向に進退する可動腕部３Ａ，３Ｂと、これら可動腕部３Ａ，３Ｂの双方に対し傾斜する方向に進退する可動腕部３Ｃとを設けたものである。すなわち、固定枠部２の直交する二つの側縁部２Ｘ，２Ｙに対し、それぞれ直交する方向に進退する可動腕部３Ａ，３Ｂを取付けると共に、上記側縁部２Ｘ．２Ｙの双方に約４５度の角度で交叉する筋交い縁部２Ｚを形成し、この筋交い縁部２Ｚに対し直交する方向に進退する可動腕部３Ｃを設けた。
【００２４】
かかる構成の架台１は、直交する二方向の可動腕部３Ａ，３Ｂを備えているから、図６に示すように一体に設けた床材１０の隣接する二側縁部を切除して寸法調整することが可能となる。また斜めに交叉する筋交い縁部２Ｚに取り付けた可動腕部３Ｃが、床材１０の隅部を支持するから、当該隅部の耐荷重強度を向上させる。
【００２５】
［第４の実施形態］
図７及び図８に示す実施形態は、前記第３の実施形態の床材設置用架台１において、可動腕部３Ａ，３Ｂ，３Ｃそれぞれの先端部に、高さ調節可能な支持脚７を設けたものであり、その他の構成は、前記第３の実施形態と共通である。本例では、可動腕部３の耐荷重強度が増大するから、可動腕部３の長さ寸法を長く設定することができ、その結果、床材１０の寸法調整範囲を大きく設定できるという利点が得られる。
【００２６】
［第５の実施形態］
図９に示す如く、架台１の固定枠部２に形成した筋交い縁部２Ｚに、適宜間隔を空けて２つの可動腕部３Ｃ，３Ｃを設けることも可能である。かかる構成によれば、図９（Ｃ）に示すように、床の施工領域に柱２０等があるために、床材１０の隅部を直角に切除する場合、上記可動腕部３Ｃ，３Ｃが、残存部分を確実に支持する。従って、本実施形態によれば、隅々まで耐荷重強度に優れた床を構築することができる。
【００２７】
［第６の実施形態］
本発明に係る床材設置用架台１は、複数の固定枠部を連結して構成することも可能である。例えば図１０に示す如く、二つの固定枠部２Ａ，２Ｂを用意し、一方の固定枠部２Ａに連結部材８を取着し、もう一方の固定枠部２Ｂを、この連結部材８に対し摺動可能に接続する。手動手段としては、可動腕部３を進退可能に取り付けるのと同様の構造が利用でき、すなわち、連結部材８を摺動可能に挿入させる保持スリーブ６を、もう一方の固定枠部２Ｂに設け、所望の進退位置で連結部材８をネジ等で固定できるようにすればよい。
【００２８】
なお本例では、可動腕部３を後者の固定枠部２Ｂに設けたが、前者の固定枠部２Ａに設けることも妨げない。さらに図１０（Ｃ）に示すように、可動腕部３の先端部に、施工面に接地して荷重を支持する高さ調整可能な支持脚７を設けてもよい。また必要に応じ、連結部材８の上面に、固定枠部２Ａ，２Ｂと実質的に高さを等しくする高さ調整部材９を配置することもできる。
【００２９】
前記の如く構成した架台１は、例えば、分割パンの支持手段として利用することが考えられる。すなわち図１０（Ｄ）に例示する如く、固定枠部２Ａ，２Ｂそれぞれの上に、分割パン１０Ｌ，１０Ｒの主要床面部を取着し、固定枠部２Ａ，２Ｂ間の距離を適宜調整することにより、分割パン１０Ｌ，１０Ｒの重ね合わせ量を調節して、所望寸法の床を形成することが可能である。なお、分割防水パン１０Ｌ，１０Ｒで防水床を構成する場合は、高さ調整部材４で固定枠部２Ａ，２Ｂの高さレベルを調整して、所要の排水勾配を床面に付与するのがよい。
【００３０】
［第７の実施形態］
図１１は、本発明に係る床材設置用架台１を、複数の固定枠部を連結して構成する場合の他の実施形態を示すものであり、連結部材８によって距離を変更可能に連結される固定枠部２Ａ，２Ｂの一方に、連結部材８の摺動方向とは直交する方向に進退する可動腕部３を設けたものである。
【００３１】
また図１２に示す床材設置用架台１は、連結部材８によって距離を変更可能に連結される固定枠部２Ａ，２Ｂの一方（２Ｂ）に、直交する側縁部両方に対し傾斜する筋交い縁部２Ｚを設け、この筋交い縁部２Ｚに可動腕部３を設けたものである。
【図面の簡単な説明】
【００３２】
【図１】本発明の第１の実施形態に関するものであって、図（Ａ）は床材設置用架台の平面図、図（Ｂ）は同床材設置用架台の正面図、図（Ｃ）は同床材設置用架台における可動腕部を拡大して示す要部の正面断面図である。
【図２】本発明の第１の実施形態に関するものであって、図（Ａ）は架台付き床材の一部切り欠いた平面図、図（Ｂ）は同架台付き床材の正面図、図（Ｃ）は同架台付き床材の一部切除後の状態を示す一部切り欠いた平面図、図（Ｄ）は同架台付き床材における可動腕部を拡大して示す要部の正面断面図である。
【図３】本発明の第２の実施形態に関するものであって、図（Ａ）は床材設置用架台の平面図、図（Ｂ）は同床材設置用架台の正面図、図（Ｃ）は同床材設置用架台における可動腕部を拡大して示す要部の正面断面図である。
【図４】本発明の第２の実施形態に関するものであって、図（Ａ）は架台付き床材の一部切り欠いた平面図、図（Ｂ）は同架台付き床材の正面図、図（Ｃ）は同架台付き床材の一部切除後の状態を示す一部切り欠いた平面図、図（Ｄ）は同架台付き床材における可動腕部を拡大して示す要部の正面断面図である。
【図５】本発明の第３の実施形態に関するものであって、図（Ａ）は床材設置用架台の平面図、図（Ｂ）は同床材設置用架台の正面図である。
【図６】本発明の第３の実施形態に関するものであって、図（Ａ）は架台付き床材の平面図、図（Ｂ）は同架台付き床材の正面図、図（Ｃ）は同架台付き床材の一部切除後の状態を示す平面図である。
【図７】本発明の第４の実施形態に関するものであって、図（Ａ）は床材設置用架台の平面図、図（Ｂ）は同床材設置用架台の正面図である。
【図８】本発明の第４の実施形態に関するものであって、図（Ａ）は架台付き床材の平面図、図（Ｂ）は同架台付き床材の正面図、図（Ｃ）は同架台付き床材の一部切除後の状態を示す平面図である。
【図９】本発明の第５の実施形態に関するものであって、図（Ａ）は架台付き床材の平面図、図（Ｂ）は同架台付き床材の正面図、図（Ｃ）は同架台付き床材の一部切除後の状態を示す平面図である。
【図１０】本発明の第６の実施形態に関するものであって、図（Ａ）は床材設置用架台の平面図、図（Ｂ）は同床材設置用架台の正面図、図（Ｃ）は同床材設置用架台における可動腕部の異なる態様を示す要部の正面図、図（Ｄ）は同床材設置用架台による床面の施工例を示す正面図である。
【図１１】本発明の第７の実施形態に関するものであって、床材設置用架台を示す斜視図である。
【図１２】本発明の第７の実施形態に関するものであって、床材設置用架台の異なる態様を示す斜視図である。
【符号の説明】
【００３３】
１…床材設置用架台  ２…固定枠部  ３…可動腕部  ４…支持脚  ５…高さ調整部材  ６…保持スリーブ  ７…支持脚  １０…床材  １０ａ…主要床面部  １０ｂ…側方床面部  １０Ｘ…切除部
【図１】
2006144413.tif 000003
【図２】
2006144413.tif 000004
【図３】
2006144413.tif 000005
【図４】
2006144413.tif 000006
【図５】
2006144413.tif 000007
【図６】
2006144413.tif 000008
【図７】
2006144413.tif 000009
【図８】
2006144413.tif 000010
【図９】
2006144413.tif 000011
【図１０】
2006144413.tif 000012
【図１１】
2006144413.tif 000013
【図１２】
2006144413.tif 000014